(57)【要約】【課題】端末機のイヤホン接続検出に関し、イヤホンが端末機に挿入される過程で電気的接続によるノイズが発生し、ユーザに不便さを提供している。また、従来のイヤホン接続検出過程において、電気的接続の状態変化を確認するために、イヤホンに設けられた接地端子を利用してきた。このような構造は、イヤホンにショートなどの問題が生じる場合には、イヤホンが挿入された状態を正常に検出できないという問題があった。【解決手段】本発明は、端末機のイヤホン接続検出に関し、特に、イヤホンと電気的に絶縁された形態のスイッチング装置を利用してイヤホン接続による物理的変化を電気的変化として感知し、イヤホン接続を検出することができるように支援するイヤホン接続検出システムの構成を開示する。【選択図】図１
2013126255.tif 000002
【特許請求の範囲】
【請求項１】
オーディオ信号を出力するイヤホン出力部と、前記イヤホン出力部に連結され、端末機のイヤホンインターフェースに接続されるイヤホンヘッドとを含むイヤホンと、
前記イヤホンヘッドが接続される前記イヤホンインターフェースと前記イヤホンインターフェースの内側に設けられ、前記イヤホンヘッドの挿入による物理的変化を電気的変化として検出して、イヤホン接続を検出する端末機と、
を含むことを特徴とするイヤホン接続検出システム。
【請求項２】
前記端末機は、
前記イヤホンヘッドが挿入される穴を有する前記イヤホンインターフェースと、
前記イヤホンインターフェースの穴内側に配置され、前記イヤホンヘッドの接触による物理的圧力によってスイッチングされるスイッチング素子と、
前記スイッチング素子に連結され、前記スイッチング素子のスイッチングによる電気的変化を提供する検出回路と、
前記検出回路に連結され、前記電気的変化により前記イヤホン接続を検出する制御部と、
を含むことを特徴とする請求項１に記載のイヤホン接続検出システム。
【請求項３】
前記スイッチング素子は、
一定の厚さを有する絶縁層と、
前記絶縁層の内部に一定間隔が離隔された形態で設けられた第１スイッチ端子及び第２スイッチ端子と、
を含むことを特徴とする請求項２に記載のイヤホン接続検出システム。
【請求項４】
前記スイッチング素子を前記イヤホンインターフェースの穴内側に固定させる固定構造物をさらに含むことを特徴とする請求項３に記載のイヤホン接続検出システム。
【請求項５】
前記検出回路は、
前記第１スイッチ端子に連結されるプルアップ抵抗と、
前記プルアップ抵抗に連結される基準電圧部と、
前記第２スイッチ端子に連結される接地端と、
前記制御部と前記プルアップ抵抗の間を連結する信号ラインと、
を含むことを特徴とする請求項３に記載のイヤホン接続検出システム。
【請求項６】
前記スイッチング素子は、
前記イヤホンインターフェースの穴底部に配置され、前記イヤホンヘッドの終端部と接触されることを特徴とする請求項２に記載のイヤホン接続検出システム。
【請求項７】
前記スイッチング素子は、
前記イヤホンインターフェースの内壁のうち少なくとも一箇所に配置され、前記イヤホンヘッドの特定端子の側面と接触されることを特徴とする請求項２に記載のイヤホン接続検出システム。
【請求項８】
イヤホンヘッドが挿入される穴を有するイヤホンインターフェースと、
前記イヤホンインターフェースの穴内側に配置され、前記イヤホンヘッドの接触による物理的圧力によってスイッチングされるスイッチング素子と、
前記スイッチング素子に連結され、前記スイッチング素子のスイッチングによる電気的変化を提供する検出回路と、
前記検出回路に連結され、前記電気的変化により前記イヤホン接続を検出する制御部と、を含むことを特徴とするイヤホン接続検出を支援する端末機。
【請求項９】
前記スイッチング素子は、
一定の厚さを有する絶縁層と、
前記絶縁層の内部に一定間隔が離隔された形態で設けられた第１スイッチ端子及び第２スイッチ端子と、
を含むことを特徴とする請求項８に記載のイヤホン接続検出を支援する端末機。
【請求項１０】
前記スイッチング素子を前記イヤホンインターフェースの穴内側に固定させる固定構造物をさらに含むことを特徴とする請求項９に記載のイヤホン接続検出を支援する端末機。
【請求項１１】
前記検出回路は、
前記第１スイッチ端子に連結されるプルアップ抵抗と、
前記プルアップ抵抗に連結される基準電圧部と、
前記第２スイッチ端子に連結される接地端と、
前記制御部と前記プルアップ抵抗の間を連結する信号ラインと、
を含むことを特徴とする請求項９に記載のイヤホン接続検出を支援する端末機。
【請求項１２】
前記スイッチング素子は、
前記イヤホンインターフェースの穴底部に配置され、挿入されるイヤホンヘッドの終端部と接触されることを特徴とする請求項９に記載のイヤホン接続検出を支援する端末機。
【請求項１３】
前記スイッチング素子は、
前記イヤホンインターフェースの内壁のうち少なくとも一箇所に配置され、挿入されるイヤホンヘッドの特定端子の側面と接触されることを特徴とする請求項９に記載のイヤホン接続検出を支援する端末機。
【請求項１４】
イヤホンヘッドが挿入される穴と、
前記穴にイヤホンヘッドが挿入されることによる物理的接触によって、スイッチングされるスイッチング素子と、
前記スイッチ装置のスイッチング動作による電気的信号を検出する検出回路と、
前記検出回路の電気的信号によってイヤホンヘッドの挿入を検出する制御部と、
を含むことを特徴とするイヤホンインターフェース。
【請求項１５】
前記スイッチング素子を前記イヤホンインターフェースの穴内側に固定させる固定構造物をさらに含み、
前記スイッチング素子は、一定の厚さを有する絶縁層と、前記絶縁層の内部に一定間隔が離隔された形態で設けられた第１スイッチ端子及び第２スイッチ端子と、を含み、
前記スイッチング素子は、前記イヤホンインターフェースの穴底部に配置されて挿入されるイヤホンヘッドの終端部と接触され、前記イヤホンインターフェースの内壁のうち少なくとも一箇所に配置されて挿入されるイヤホンヘッドの特定端子の側面と接触されることを特徴とする請求項１４に記載のイヤホンインターフェース。
【発明の詳細な説明】
【技術分野】
【０００１】
本発明は、イヤホン接続検出に関し、特に、端末機にイヤホンを接続する時にノイズの発生がなく、より安定的で且つ堅固なイヤホン接続検出が可能なイヤホン接続検出システム及びこれを支援する端末機に関する。
【背景技術】
【０００２】
近年、携帯端末機は、携帯容易性により幅広い利用がなされている。特に、携帯端末機のうち移動しながらも音声通話が可能な移動通信端末機は、国民の大多数が使用しているほど、非常に人気の高い携帯端末機である。一方、移動通信端末機は、話者間の通話情報を送受信する機能を主要機能としながらも、他の多様な機能を有することができる。例えば、従来の携帯端末機は、ＭＰ３プレーヤーのようなファイル再生機能を有してもよく、デジタルカメラのような映像収集機能を有してもよい。また、従来の携帯端末機の場合、モバイルゲームやアーケードゲームなどを行うことができる機能などを支援している。
【０００３】
一方、従来の携帯端末機は、オーディオ出力過程で他人に影響を与えずに、オーディオ聴取を一人で楽しむためにイヤホンシステムを提供している。これにより、ユーザは、時間及び場所に関係なく、音楽聴取や放送視聴などを行うことができる。ここで、従来のイヤホンシステムは、イヤホンヘッドが端末機のイヤホン接続インターフェースに電気的に接続される状態変化により、端末機がイヤホンの接続を感知するシステムを採用している。一方、ユーザがイヤホンシステムを利用する過程において、優先的にイヤホンヘッドを耳に挿入した状態で、ターンオンされた状態の端末機に挿入するようになる。これにより、イヤホンが端末機に挿入される過程で電気的接続によるノイズが発生し、ユーザに不便さを提供している。
【０００４】
また、従来のイヤホン接続検出過程において、電気的接続の状態変化を確認するために、イヤホンに設けられた接地端子を利用してきた。このような構造は、イヤホンにショートなどの問題が生じる場合には、イヤホンが挿入された状態を正常に検出できないという問題があった。
【発明の概要】
【発明が解決しようとする課題】
【０００５】
したがって、本発明の目的は、上述したような従来技術の問題点を解決するためのもので、イヤホン接続を安全で且つ堅固に検出しながらも、別途のノイズ発生を抑制することができるイヤホン接続検出システムを提供することにある。
【課題を解決するための手段】
【０００６】
前記目的を達成するための本発明は、イヤホンヘッドが挿入される穴を有する前記イヤホンインターフェースと、前記イヤホンヘッドに設けられた端子と絶縁されて前記イヤホンインターフェースの穴内側に配置され、前記イヤホンヘッドの接触による物理的圧力によってスイッチングされるスイッチング素子と、前記スイッチング素子に連結され、前記スイッチング素子のスイッチングによる電気的変化を提供する検出回路と、前記検出回路に連結され、前記電気的変化により前記イヤホン接続を検出する制御部と、を含むイ
ヤホン接続検出を支援する端末機の構成を開示する。
【０００７】
また、本発明は、オーディオ信号を出力するイヤホン出力部と、イヤホン出力部に連結され、端末機のイヤホンインターフェースに接続されるイヤホンヘッドとを含むイヤホンと； 前記イヤホンヘッドが接続されるイヤホンインターフェースと 前記イヤホンインターフェースの内側に設けられ、イヤホンヘッドの挿入による物理的変化を電気的変化として検出して、イヤホン接続を検出する端末機と； を含むイヤホン接続検出システムの構成を開示する。
【発明の効果】
【０００８】
以上で調べたように、本発明に係るイヤホン接続検出システム及びこれを支援する端末機によれば、本発明は、別途のノイズ発生なしで、より正確にイヤホン接続を検出することができる。
【図面の簡単な説明】
【０００９】
【図１】本発明の実施形態に係るイヤホン接続検出システムの構成を概略的に示す図である。
【図２】本発明の端末機の構成をより詳細に示す図である。
【図３】本発明の第１実施形態に係るイヤホン接続検出システムのイヤホンインターフェースとイヤホンヘッドの構成をより詳細に示す図である。
【図４】本発明のドームキー及びそれに関連する構成をより詳細に示す図である。
【図５】本発明の第２実施形態に係るイヤホン接続検出システムのイヤホンインターフェースとイヤホンヘッドの構成をより詳細に示す図である。
【発明を実施するための形態】
【００１０】
以下、本発明の実施形態を添付された図面に基づいて詳細に説明する。
実施形態を説明するにおいて、本発明が属する技術分野で十分に知られており、本発明と直接的に関連のない技術内容に対しては、説明を省略する。また、実質的に同一の構成と機能を有する構成要素に対しては、詳細な説明を省略することにする。
同様な理由で添付図面において、一部の構成要素は誇張または省略されるか、または、概略的に示されており、各構成要素の大きさは、実際の大きさを全面的に反映するものではない。したがって、本発明は、添付した図面に描かれた相対的な大きさや間隔によって制限されない。
【００１１】
図１は、本発明の実施形態に係るイヤホン接続検出システム１０の構成を概略的に示す図である。
【００１２】
図１を参照すれば、本発明のイヤホン接続検出システム１０は、端末機１００及びイヤホン２００を含んで構成される。
【００１３】
ここで、イヤホン２００は、端末機１００のイヤホンインターフェース１３０に挿入されるイヤホンヘッド２０１と、イヤホンヘッド２０１に連結され、オーディオ信号を出力するイヤホン出力部２０２とを含む。イヤホンヘッド２０１は、イヤホン２００の設計形態により、３個〜４個の電極を含んでもよい。すなわち、イヤホンヘッド２０１は、イヤホン左側端子、イヤホン右側端子、イヤホン接地端子を含み、イヤホンマイク端子を該当イヤホン２００のタイプにより選択的に含む。イヤホン出力部２０２は、イヤホン左側端子に連結され、左側オーディオ信号を出力するイヤホン左側ヘッドと、イヤホン右側端子に連結され、右側オーディオ信号を出力するイヤホン右側ヘッドとを含んでもよい。ここで、イヤホン出力部２０２は、出力されるオーディオ信号がステレオタイプで形成された場合には、それぞれ左側及び右側を区分して出力し、モノラルタイプで構成されたオーディオ信号の場合には、左右側の区分なしで、モノラルタイプのオーディオ信号を左右側出力部に出力することができる。
【００１４】
このような構成を有する本発明のイヤホン接続検出システム１０は、端末機１００にイヤホン２００が挿入される場合、イヤホン２００に加えられる圧力により、端末機１００に設けられたイヤホンインターフェース１３０にイヤホン２００が進入しながら、イヤホン２００の接続検出のために設けられたドームキーに一定圧力を加えるようになる。このとき、前記ドームキーは、端末機１００へのイヤホン２００の接続検出のための構成であって、一定圧力による電気的変化を発生させてイヤホン２００の接続を確認できるように支援する。
【００１５】
上述したような構成のイヤホン接続検出システム１０は、イヤホン２００と接続される端末機１００の部分が絶縁された状態を有することにより、イヤホン２００の接続過程で電気的変化によって発生し得るノイズの発生を抑制することができる。また、本発明のイヤホン接続検出システム１０は、ドームキーに連結される回路を端末機１００の内部に設けることにより、イヤホン２００の接続による物理的変化が端末機１００の内部における電気的変化として処理されることで、イヤホン２００の正常状態や不良状態に関係なく、イヤホン２００の挿入を正常に認識し、それによる処理を支援することができる。
【００１６】
ここで、本発明のイヤホン２００の接続検出のために、端末機１００のイヤホンインターフェース１３０の内側にドームキーが形成されることを例にして説明するが、本発明がこれに限定されるものではない。すなわち、本発明は、イヤホン２００の接続時に電気的連結を防止しながらイヤホン２００の接続を検出することができるように、イヤホンインターフェース１３０の内側に設けられる絶縁スイッチング装置を提示することで、前記ドームキーは外部が絶縁された形態であり、イヤホン２００の挿入による物理的変化を電気的変化に切り替えるスイッチング装置の一例として理解しなければならない。以下の説明では、説明の便宜のために、絶縁されたスイッチング装置をドームキーにして説明することにする。
【００１７】
以下、前記イヤホン接続検出システム１０の構成および端末機１００の構成と、端末機１００のイヤホンインターフェースにイヤホン２００が挿入された状態などに関するさらに詳細な説明を、図面を参照して説明することにする。
【００１８】
図２は、本発明の実施形態に係る端末機１００の構成をより詳細に示したブロック図である。
【００１９】
図２を参照すれば、本発明の端末機１００は、通信部１１０、入力部１２０、イヤホンインターフェース１３０、表示部１４０、格納部１５０、及び制御部１６０の構成を含む。
【００２０】
このような構成を有する本発明の端末機１００は、イヤホンインターフェース１３０にイヤホン２００が挿入される過程で、イヤホンインターフェース１３０に設けられたドームキーに物理的圧力が加えられながら、イヤホン２００の挿入による物理的変化を電気的変化として認識することができる。これのために、端末機１００は、ドームキーの一側にイヤホン２００の挿入による物理的変化を電気的変化として感知することができる回路を設け、該当電気的変化の感知時に、イヤホン２００の挿入を検出することができる。端末機１００は、イヤホン２００の挿入認識が完了すれば、イヤホン２００の運用のための信号処理を行うことができる。このような本発明の端末機１００は、イヤホン２００の挿入による電気的変化を端末機１００内に設けられた回路を利用して検出することにより、イヤホン２００の電気的特性に関係なく、イヤホン２００の挿入を決めることができる。また、本発明の端末機１００は、イヤホン２００の挿入による物理的圧力の変化を利用してイヤホン２００の挿入を検出することにより、イヤホン２００にノイズ発生を抑制することができる。
【００２１】
通信部１１０は、端末機１００が通信機能を支援する端末機の形態で製作される場合、追加される構成である。したがって、本発明が適用される端末機１００が通信機能を支援しない場合には、通信部１１０は端末機１００の構成から省略されてもよい。一方、通信部１１０は、端末機１００の通信機能、特に、移動通信機能を支援するために移動通信モジュールの形態で設けられる。このような通信部１１０は、移動通信システムと通信チャネルを形成して、端末機１００の移動通信機能を行うための信号送受信を支援する。例えば、通信部１１０は、移動通信システムと音声サービスチャネル、映像サービスチャネル、データサービスチャネルのうち少なくとも一つを形成し、該当サービスチャネルによる特定信号の送受信を支援することができる。
【００２２】
このような通信部１１０は、外部の特定サーバとの通信チャネルを形成するか又は他の端末機と通信チャネルを形成し、該当サーバまたは他の端末機が提供するオーディオ信号を受信することができる。通信部１１０が受信したオーディオ信号を端末機１００の設定により、イヤホン２００に伝達することができる。例えば、通信部１１０は、音楽聴取提供サーバと通信チャネルを形成し、該当サーバが提供する音楽関連オーディオ信号を受信することができ、受信されたオーディオ信号は、制御部１６０の制御によってイヤホンインターフェース１３０を介してイヤホン２００に伝達される。
【００２３】
入力部１２０は、端末機１００の運用に必要な多様な入力信号を生成する構成である。このような入力部１２０は、端末機１００の互換可能の有無により、キーボードやキーパッド、キーボタンなどの多様な入力手段で構成される。また、前記入力部１２０は、前記表示部１４０がタッチスクリーンで提供される場合、タッチスクリーンに出力されるタッチマップの形態で構成されてもよい。本発明の入力部１２０は、イヤホン２００の挿入によるオーディオ出力パスを調整する入力信号を生成することができる。例えば、入力部１２０は、イヤホン２００がイヤホンインターフェース１３０に挿入された状態で、ユーザの制御により、現在出力されるオーディオ信号をイヤホン２００を介して出力するように支援するイヤホン出力モードと、端末機１００に設けられたスピーカー（ＳＰＫ）を介して出力するように支援するスピーカー出力モードと、のうちいずれか一つのモードを選択できる入力信号を生成することができる。ここで、イヤホン出力モードは、イヤホン２００がイヤホンインターフェース１３０に挿入される場合に選択できるモードであって、イヤホン２００の未挿入時に非活性化状態を維持することができる。
【００２４】
イヤホンインターフェース１３０は、イヤホン２００が挿入されるインターフェースである。このイヤホンインターフェース１３０は、前で言及したように、イヤホンヘッド２０１が挿入固定されるための構造の接続部として設けられ、イヤホンヘッド２０１に形成された電源端子と接触される端子を含む形態で設けられる。特に、本発明のイヤホンインターフェース１３０は、ドームキーを含んで、イヤホンヘッド２０１が挿入される過程で発生する物理的圧力を電気的変化に検出できるように支援する。イヤホンインターフェース１３０の細部形態及びドームキーの細部形態については、後述する図面を参照してさらに詳細に説明することにする。
【００２５】
前記表示部１４０は、端末機１００の運用に必要な多様な画面インターフェースを提供する構成である。例えば、前記表示部１４０は、端末機１００の運用に必要な待機画面、メニュー画面などを支援する。特に、本発明の表示部１４０は、イヤホン２００の運用に関連する多様な画面表示を支援することができる。例えば、表示部１４０は、イヤホン２００が挿入されれば、イヤホン２００の挿入を知らせるテキストやイメージを画面に出力することができる。このとき、表示部１４０は、イヤホン２００の挿入状態を維持する間、持続的にイヤホン２００の接続を知らせるテキストやイメージを画面に出力するか、イヤホン２００が接続される過程で一時的にテキストやイメージを通じてイヤホン２００の挿入を知らせることができる。また、表示部１４０は、イヤホン２００がイヤホンインターフェース１３０から離脱すれば、イヤホン２００の離脱に対するアラームを一定時間の間、テキストやイメージとして画面に出力することができる。
【００２６】
一方、表示部１４０は、イヤホン２００基盤のオーディオパスの切り替えを制御できる制御マップを出力することができる。この制御マップは、端末機１００が出力するオーディオ信号をスピーカーを介して出力するか、イヤホンインターフェース１３０を介してイヤホン２００に出力するように選択できるキーマップを含む。これのために表示部１４０は、タッチスクリーン機能を支援することができる。表示部１４０がタッチスクリーン機能を支援する場合、表示部１４０は、表示パネルとタッチパネルが重なった形態で構成される。表示パネルには、上述した制御マップに該当するイメージなどが出力される。タッチパネルは、表示パネルに出力された制御マップの運用のためにタッチ有効領域とタッチ無効領域を設定し、タッチ有効領域で発生するタッチイベントを制御部１６０に伝達することができる。
【００２７】
スピーカーは、本発明の端末機１００の運用過程で発生する多様なオーディオデータの再生及び出力を支援する。また、前記端末機１００が通信機能を支援してユーザの音声を伝送する機能を提供する場合、前記端末機１００は、マイク（ＭＩＣ）を含んでもよい。
特に、本発明のスピーカーは、イヤホン２００の接続時にオーディオ信号の出力が制限される。そして、イヤホン２００がイヤホンインターフェース１３０から離脱する場合、スピーカーは、制御部１６０の制御によりオーディオ信号出力を支援することができる。
【００２８】
前記格納部１５０は、端末機１００の運用に必要な多様な基本オペレーティングシステム及び多様なアプリケーションとアルゴリズムなどを格納することができる。特に、前記格納部１５０は、スピーカー及びイヤホン２００を介して出力される多様なオーディオデータに該当するファイルを格納することができる。格納されたファイルは、ユーザの要請により再生され、イヤホン２００の接続有無により、スピーカーを介して出力されるか、イヤホン２００を介して出力される。
【００２９】
制御部１６０は、端末機１００の運用に必要な多様な信号流れの制御と情報の伝達、加工及び削除や修正などを制御する構成である。このような制御部１６０は、イヤホンインターフェース１３０にイヤホン２００が挿入されることで発生する物理的変化を電気的変化に切り替えることができるドームキーを介して、イヤホン２００の接続検出のための検出ポートを設けることができる。この検出ポートは、ドームキーに連結された回路に接続される信号ラインを有し、イヤホン２００の接続によってドームキーに圧力が加えられることで発生する電気的変化を感知することができる。制御部１６０は、この検出ポートの電気的な変化の感知により、イヤホン２００への信号出力を支援することができる。すなわち、制御部１６０は、イヤホンインターフェース１３０にイヤホン２００が挿入されることを確認すれば、イヤホン２００と接続された他のポート、すなわち、イヤホン左側端子、イヤホン右側端子に接続されるポートを介して、オーディオ信号を出力するように支援することができる。これのために、制御部１６０は、コーデック１６１を含んでもよく、コーデック１６１は、上述した検出ポート、イヤホン左側端子ポート、イヤホン右側端子ポートを含んでもよい。上述したイヤホン接続検出システム１０の構成のうち、イヤホンインターフェース１３０とイヤホンヘッド２０１については、図面を参照してさらに詳細に説明することにする。
【００３０】
図３は、本発明の第１実施形態に係るイヤホン接続検出システム１０のうち、イヤホンインターフェース１３０にイヤホンヘッド２０１が挿入された状態を示す図である。
【００３１】
図３を参照すれば、本発明の第１実施形態に係るイヤホンヘッド２０１は、前方から後方にイヤホン左側端子Ｌ、イヤホン右側端子Ｒ、イヤホン接地端子Ｅ＿ＧＮＤ、イヤホンマイク端子Ｅ＿ＭＩＣを含み、各端子の間には、絶縁のための絶縁リングまたは絶縁部が設けられる。ここで、イヤホンインターフェース１３０に挿入されるイヤホンヘッド２０１を４極のイヤホン形態で示したが、本発明がこれに限定されるものではない。すなわち、本発明の実施形態に係るイヤホンインターフェース１３０に接続されるイヤホンヘッド２０１は、イヤホンマイク端子Ｅ＿ＭＩＣが除去された形態の３極のイヤホンが適用されてもよく、また、４極のイヤホン形態の中でもイヤホン接地端子Ｅ＿ＧＮＤの位置が、他の端子と位置が変更されたタイプも適用可能である。すなわち、本発明の実施形態に係るイヤホンインターフェース１３０に接続されるイヤホン２００の形態は、従来の多様なタイプのイヤホンが全て適用される形態であって、特定イヤホン２００のタイプに限定されるものではない。以下の説明では、イヤホンマイク端子Ｅ＿ＭＩＣが後方に配置された４極のイヤホンの形態を基準として説明することにする。
【００３２】
イヤホンインターフェース１３０は、イヤホンヘッド２０１が挿入される一定深さの穴１３１を設けて、穴１３１の側壁には、それぞれの端子と接触する接続端子が設けられる。すなわち、イヤホンインターフェース１３０の側壁には、イヤホン左側端子Ｌと接触されるイヤホン左側接続端子ＥＡＲ＿Ｌ、イヤホン右側端子Ｒと接触されるイヤホン右側接続端子ＥＡＲ＿Ｒ、イヤホン接地端子Ｅ＿ＧＮＤと接触されるイヤホン接地接続端子ＥＡＲ＿ＧＮＤ、イヤホンマイク端子Ｅ＿ＭＩＣと接触されるイヤホンマイク接続端子ＥＡＲ＿ＭＩＣを含んでもよい。特に、本発明のイヤホンインターフェース１３０は、穴１３１の底部に配置されてイヤホンヘッド２０１の挿入時に、ヘッドの終端部の進入による物理的変化を電気的変化に切り替えて、制御部１６０に伝達するドームキー１３３及び検出回路１３５が設けられる。
【００３３】
このような構造の本発明の第１実施形態に係るイヤホンインターフェース１３０を有する端末機１００は、イヤホンインターフェース１３０にイヤホンヘッド２０１が挿入される場合、イヤホンヘッド２０１の終端部がイヤホンインターフェース１３０の穴１３１の底部と接触される過程で、ドームキー１３３に一定圧力を提供して、ドームキー１３３の内部スイッチング回路に物理的変形を加えるようになる。結果的に、スイッチング回路に連結された検出回路１３５は、スイッチング回路の物理的変化による電気的変化を制御部１６０に伝達することができる。一方、イヤホンヘッド２０１がイヤホンインターフェース１３０に挿入される過程で、イヤホンヘッド２０１がイヤホンインターフェース１３０から容易に離脱しないように、イヤホンヘッド２０１とイヤホンインターフェース１３０は、無理やり嵌め込みの方式で挿入及び離脱される。例えば、イヤホンインターフェース１３０が３．５Φ口径の穴で形成された場合、イヤホンヘッド２０１も３．５Φ直径を有する形態で設けられ、イヤホンインターフェース１３０は、イヤホンヘッド２０１の挿入後に固定支持するために内壁が弾性材質で構成される。イヤホンインターフェース１３０の内壁が弾性材質で構成される場合、各接続端子は、弾性材質の内壁から突出した形態に配置され、イヤホンヘッド２０１の各端子と接触される。
【００３４】
特に、イヤホンインターフェース１３０の穴１３１の底部に形成されるドームキー１３３は、イヤホンヘッド２０１が完全に挿入された状態で物理的変形が加えられるように、穴１３１の深さがイヤホンヘッド２０１の長さに相応する形態で設けられる。例えば、穴１３１の底部から突出したドームキー１３３の上面部からイヤホンインターフェース１３０の入口部までの深さは、イヤホンヘッド２０１の長さよりも短く形成される。そして、ドームキー１３３に物理的圧力が加えられて押された状態で、ドームキー１３３の上面部からイヤホンインターフェース１３０の入口部までの深さは、イヤホンヘッド２０１の長さと類似に形成されてもよい。
【００３５】
図４は、本発明のドームキー１３３及び検出回路１３５の構成をより詳細に示す図である。
【００３６】
図４を参照すれば、本発明のドームキー１３３は、第１スイッチ端子３１及び第２スイッチ端子３３、絶縁層３５、接着層３７を含んで構成される。接着層３７は、ドームキー１３３をイヤホンインターフェース１３０の底部に固定させるための構成であって、他の構造物、例えば、ねじ結合の構造物などに代替されてもよい。または、ドームキー１３３の両側部がフック形態で設けられる場合、フック結合構造物に代替されてもよい。これにより、接着層３７は、ドームキー１３３をイヤホンインターフェース１３０の内側の底部に固定させる固定構造物の役割を行う。
【００３７】
検出回路１３５は、第１スイッチ端子３１をコーデック１６１の検出ポートＤＥＴと連結させる信号ライン、前記第１スイッチ端子３１に並列に連結されるプルアップ抵抗Ｒ、プルアップ抵抗Ｒに一定電圧を提供する基準電圧部ＶＤＤ、第２スイッチ端子３３に接続される接地端ＧＮＤを含んでもよい。
【００３８】
このような構成を有する本発明のドームキー１３３は、第１スイッチ端子３１及び第２スイッチ端子３３が一定間隔で離隔されて配置され、絶縁層３５の内部に配置される構造を有する。これにより、絶縁層３５の外部で物理的圧力が加えられれば、第１スイッチ端子３１が第２スイッチ端子３３に接続される。そうすれば、第１スイッチ端子３１に接続されているプルアップ抵抗Ｒの電圧が第１スイッチ端子３１及び第２スイッチ端子３３を介して接地端ＧＮＤに流れるようになる。結果的に、第１スイッチ端子３１に接続され、第１スイッチ端子３１の電気的変化を感知するコーデック１６１の検出ポートＤＥＴに電気的変化が発生する。すなわち、プルアップ抵抗Ｒにかかった基準電圧部ＶＤＤが検出ポートＤＥＴに検出され、第１スイッチ端子３１及び第２スイッチ端子３３が接続されることにより、接地電圧が検出ポートＤＥＴに検出される。コーデック１６１は、このような検出ポートＤＥＴの電圧変化を感知してイヤホン２００の挿入を確認することができる。
【００３９】
この過程において、第１スイッチ端子３１と第２スイッチ端子３３が絶縁層３５によって絶縁されることにより、イヤホン２００との電気的接触が発生しない。結果的に、イヤホン２００の物理的圧力を電気的変化として感知しながら、電気的変化をイヤホンインターフェース１３０内に設けられた検出回路１３５を介して確認することにより、イヤホン２００の電気的状態に関係なく、イヤホン２００の挿入を確認することができる。イヤホン２００が挿入されれば、コーデック１６１は、イヤホン左側接続ポートＬ＿Ｐｏｒｔ、イヤホン右側接続ポートＲ＿Ｐｏｒｔ、イヤホンマイク接続ポートＭＩＣ＿Ｐｏｒｔの運用のための処理を行い、イヤホンインターフェース１３０に形成された各イヤホン左側接続端子ＥＡＲ＿Ｌ、イヤホン右側接続端子ＥＡＲ＿Ｒ、イヤホンマイク接続端子ＥＡＲ＿ＭＩＣとの信号送受信を制御することができる。これのために、各ポートと各端子との間の信号ラインが形成される。
【００４０】
図５は、本発明の第２実施形態に係るイヤホン接続検出システム１０の構成のうちイヤホンヘッド２０１とイヤホンインターフェース１３０の構成のみを示す図である。
【００４１】
図５を参照すれば、本発明の第２実施形態に係るイヤホン接続検出システム１０は、イヤホンヘッド２０１とドームキー１３３が内側壁に形成されたイヤホンインターフェース１３０を含む。ここで、イヤホンヘッド２０１は、前に説明したように、４個の端子、すなわち、イヤホン左側端子Ｌ、イヤホン右側端子Ｒ、イヤホン接地端子Ｅ＿ＧＮＤ、及びイヤホンマイク端子Ｅ＿ＭＩＣを含んで構成される。イヤホンインターフェース１３０は、イヤホンヘッド２０１が挿入される一定深さの穴１３１と、穴１３１の内壁に形成されたドームキー１３３と、穴１３１の内壁に形成された接続端子とを含む。接続端子は、図３で説明したように、イヤホン左側接続端子ＥＡＲ＿Ｌ、イヤホン右側接続端子ＥＡＲ＿Ｒ、イヤホン接地接続端子ＥＡＲ＿ＧＮＤ、及びイヤホンマイク接続端子ＥＡＲ＿ＭＩＣを含んでもよい。イヤホンインターフェース１３０に形成された穴１３１の口径は、イヤホンヘッド２０１の直径と類似する形状で設けられ、例えば、３．５Φで形成される。穴１３１の内壁には、イヤホンヘッド２０１の挿入後にイヤホンヘッド２０１の容易な離脱を防止するために、摩擦係数が高くて伸縮性を有し、弾性力を提供する材質、例えば、ゴムや、合成ゴム、ポリウレタンなどの多様な非導電性材質で形成された層が設けられる。
【００４２】
特に、本発明の第２実施形態に係るイヤホンインターフェース１３０は、内壁の一側に少なくとも一つのドームキー１３３が設けられる。内壁に設けられたドームキー１３３は、イヤホンヘッド２０１の側面と接触されることにより、イヤホンヘッド２０１が提供する物理的加圧を電気的変化に切り替えて、これをコーデック１６１に提供することができる。このとき、ドームキー１３３は、図４で説明したように、第１スイッチ端子３１と第２スイッチ端子３３が絶縁層３５で絶縁されるので、イヤホンヘッド２０１と電気的に接続されず、イヤホンヘッド２０１の物理的加圧による電気的変化を発生させることができる。
【００４３】
示された図面においてドームキー１３３は、イヤホンインターフェース１３０の内壁のうちイヤホン右側端子Ｒが配置される領域に配置することと説明したが、本発明がこれに限定されるものではない。本発明のドームキー１３３は、イヤホンインターフェース１３０の穴１３１の内壁のうちいずれか一箇所に配置されるもので、イヤホン左側端子Ｌの突出部に対応する側壁領域に配置されてもよく、または、イヤホン接地端子Ｅ＿ＧＮＤやイヤホンマイク端子Ｅ＿ＭＩＣが配置された領域に対応する側壁領域に配置されてもよい。また、ドームキー１３３は、イヤホンインターフェース１３０の穴１３１の内壁に複数個が配置されてもよい。複数のドームキー１３３が配置される場合、本発明のイヤホン接続検出システム１０は、いずれか一つのドームキー１３３が反復的な物理的圧力によって破損されても、これを補充できるように支援することができる。これにより、本発明のイヤホンインターフェース１３０の内側に設けられるドームキー１３３は、少なくとも一つが設けられる構造で理解されなければならない。
【００４４】
一方、上述した端末機１００は、その提供形態により多様な追加モジュールをさらに含んでもよい。すなわち、前記端末機１００は、通信端末機の場合、近距離通信のための近距離通信モジュール、前記端末機１００の有線通信方式または無線通信方式によるデータ送受信のためのインターフェース、インターネットのネットワークと通信してインターネット機能を行うインターネット通信モジュール、及びデジタル放送受信と再生機能を行うデジタル放送モジュールのように、上記で言及していない構成をさらに含んでもよい。このような構成要素は、デジタル機器のコンバージェンス（ｃｏｎｖｅｒｇｅｎｃｅ）傾向により、変形が非常に多様であって、全部列挙することはできないが、上記で言及された構成要素と同等な水準の構成要素が前記デバイスにさらに含まれて構成されてもよい。また、本発明の端末機１００は、その提供形態により、上記した構成から特定構成が除外されるか又は他の構成に代替され得ることは、もちろんである。これは、本技術分野の通常の知識を有する者には、容易に理解されるはずである。
【００４５】
また、本発明の実施形態に係る前記端末機１００は、多様な通信システムに対応する通信プロトコル（ｃｏｍｍｕｎｉｃａｔｉｏｎ  ｐｒｏｔｏｃｏｌｓ）に基づいて動作する全ての移動通信端末機（ｍｏｂｉｌｅ  ｃｏｍｍｕｎｉｃａｔｉｏｎ  ｔｅｒｍｉｎａｌｓ）をはじめとして、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノート型パソコン（Ｎｏｔｅｂｏｏｋ）、及びハンドヘルドＰＣなど全ての情報通信機器とマルチメディア機器及びそれに対する応用機器を含んでもよい。
【００４６】
一方、本明細書と図面を通じて本発明の好ましい実施形態について説明した。特定用語が使用されたが、これは、単に本発明の技術内容を容易に説明し、発明の理解を助けるための一般的な意味として使用されただけで、本発明の範囲を限定しようとするものではない。ここに開示された実施形態の外にも本発明の技術的思想に基づいた他の変形例が実施可能であることは、本発明が属する技術分野で通常の知識を有する者に自明である。
【符号の説明】
【００４７】
１０：イヤホン接続検出システム
１００：端末機
１１０：通信部
１２０：入力部
１３０：イヤホンインターフェース
１３１：穴
１３３：ドームキー
１３５：検出回路
１４０：表示部
１５０：格納部
１６０：制御部
２００：イヤホン
２０１：イヤホンヘッド
２０２：イヤホン出力部
【図１】
2013126255.tif 000003
【図２】
2013126255.tif 000004
【図３】
2013126255.tif 000005
【図４】
2013126255.tif 000006
【図５】
2013126255.tif 000007